(57)【要約】  【課題】  腰回りの締付けをより強固に行え、前後左右の身の動きをしっかりサポートでき、体形に係りなく用いることのコルセットを提供する。  【解決手段】  腰部背面に当接する非伸張部分１と、該非伸張部分１の両側に連続する伸張部分２と、該伸張部分２の末端に連続し、面状ファスナー雌材８を表面に備え、一方の末端裏面に面状ファスナー雄材片６を備えた重ね合わせ部分３および前記非伸張部分１に基部が固着され、末端裏面に前記面状ファスナー雌材８に止着する面状ファスナー雄材片６´を備えた張力付加ベルトＡｂとで構成する。そして、前記非伸張部分１と前記伸張部分２の境界部間および前記伸張部分２と前記重ね合わせ部分３の境界部のそれぞれに、弾性ボーン４，４´を縦方向に配し、該弾性ボーン４，４´間に、弾性帯７を、その末端部を前記境界部に止着してＸ字状に配する。【選択図】    図２
2011063915.tif 000002
【特許請求の範囲】
【請求項１】
腰部背面に当接する非伸張部分と、該非伸張部分の両側に連続する伸張部分と、該伸張部分の末端に連続し、面状ファスナー雌材を表面に備え、一方の末端裏面に面状ファスナー雄材片を備えた重ね合わせ部分および前記非伸張部分に基部が固着され、末端裏面に前記面状ファスナー雌材に止着する面状ファスナー雄材片を備えた張力付加ベルトとで成るコルセットにおいて、前記非伸張部分と前記伸張部分の境界部および前記伸張部分と前記重ね合わせ部分の境界部に末端部を止着して、弾性帯を前記伸張部分にＸ字状に配した、コルセット。
【請求項２】
非伸張部分の横方向中央に張力付加ベルトの基部を固着した、請求項１記載のコルセット。
【発明の詳細な説明】
【技術分野】
【０００１】
本発明は、伸縮性を利用して腰部に巻き付けて、その固定支持のために用いるコルセットに関するものである。
【背景技術】
【０００２】
腰部背面に重ね合わせる非伸張部分の両側に伸張部分を連続させ、一方の該伸張部分の、自由端側の末端裏面に面状ファスナー雄材片を設けて、前記伸張部分の表面の面状ファスナー雌材に止着するようにした本体と、該本体の前記非伸張部分に基部を止着して、先端側の裏面に設けた面状ファスナー雄材を前記雌材に止着するようにした張力付加ベルトとを備えた構造のコルセットが知られている（例えば、特許文献１）。
【先行技術文献】
【特許文献】
【０００３】
【特許文献１】特開２００３−２９９６８２号公報
【発明の概要】
【発明が解決しようとする課題】
【０００４】
前記従来構造のコルセットは、伸張部分の張力を利用して腰部に巻き付けた本体の表面に重ね合わせるようにして張力付加ベルトを巻き付けて腰部の固定支持を期待するものであるが、張力付加ベルトは本体を介在させて腰部を締付けるため、該締付けによって腰部に影響を与えるには、例えば、本体をごわごわした素材で構成すると問題があり、従って、本体の素材上の制約を受け、また、そもそもが本体を介在して張力付加ベルトの締付け効果を期待するものであるから、必ずしも満足のいく張力付加を得ることができない。
【０００５】
本発明は、このような従来例の欠点に着目し、従来例と較べ、腰部の締付けをより強固に行うことのできるコルセットを提供することを目的とするものである。
【課題を解決するための手段】
【０００６】
腰部背面に当接する非伸張部分と、該非伸張部分の両側に連続する伸張部分と、該伸張部分の末端に連続し、面状ファスナー雌材を表面に備え、一方の末端裏面に面状ファスナー雄材片を備えた重ね合わせ部分および前記非伸張部分に基部が固着され、末端裏面に前記面状ファスナー雌材に止着する面状ファスナー雄材片を備えた張力付加ベルトとで成るコルセットにおいて、前記非伸張部分と前記伸張部分の境界部および前記伸張部分と前記重ね合わせ部分の境界部に末端部を止着して、弾性帯を前記伸張部分にＸ字状に配した構成を基本的手段とし、さらに、非伸張部分の横方向中央に張力付加ベルトの基部を固着した構成を付加することにより、非伸張部分も、腰部背面にできるだけ密接させ、腰部の締付けを尚一層強固に行うことができるものである。
【発明の効果】
【０００７】
本発明によれば、弾性帯の締付けによって腰回りは尚一層強固に締付けられ、しかも、該弾性帯はたすき状（Ｘ字状）に配したものであるから、前後左右の身の動きをしっかりサポートし、太身や細身の体形の相違に係りなく、腰部の締付けをより強固に行なってコルセットとして好適な製品を提供できる。
【図面の簡単な説明】
【０００８】
【図１】図１は一部を裏返して示した正面図。
【図２】図２は一部欠截背面図。
【図３】図３は使用時の状態を示す説明図。
【実施例】
【０００９】
本発明に係るコルセットＡは、横長（腰回りに巻回できる長さの）の本体ベルトＡａと、該本体ベルトＡａの表面側の両側に重ね合わせて一体的にした一対の張力付加ベルトＡｂとで構成する。
【００１０】
本体ベルトＡａは、腰部の背面に重ね合わせて当接する非伸張部分１と、該非伸張部分１の両側に伸張部分２を連続させ、各伸張部分２の末端に重ね合わせ部分３を連続させて構成するもので、非伸張部分１と伸張部分２との境界部に金属又は樹脂製の平板より帯状の弾性ボーン４を、また、伸張部分２と重ね合わせ部３との境界部に、後記するゴム紐７の末端部で成る弾性ボーン４´をそれぞれ配し、当て布５，５´を重ね合わせて縫着して取付けたものである。
【００１１】
なお、中央の非伸張部分１側の弾性ボーン４は腰椎周辺に配して該腰椎を固定支持し、伸張部分２と重ね合わせ部分３との境界部に配した弾性ボーン４´は腰回りの腹部に配してその弾性を利用して腹部に密接させ、ずれ落ちを防いでコルセットＡの身に付けた状態を確保するものである。
【００１２】
非伸張部分１、伸張部分２および重ね合わせ部分３の各部は、重ね合わせた端部を各部分１、２、３にわたって連続する縁取りテープ１０で挟んで縫い合わせて二重の樹脂布で構成するものである。
【００１３】
非伸張部分１は通気性の良好な樹脂布で、伸張部分２は伸縮性のある（弾性の）樹脂でそれぞれ構成し、伸張部分２を構成する表、裏の樹脂布２ａ，２ｂ間には、互いにＸ字状（交差状）に配した一対の帯状の（幅広い）前記ゴム紐（天然ゴムと合成ゴムのいずれでも不都合はなく、要は弾性帯であれば良い）７，７を介在させ、該ゴム紐７の末端ぶを当て布（樹脂製）５，５´がある前記境界部に止着（縫着）してある。
【００１４】
前記重ね合わせ部分３は、表面側を面状ファスナー雌材８と成す樹脂製布で構成し、一方の重ね合わせ部分３の自由端側の末端部裏面側には前記面状ファスナー雌材８に取り付け剥離自在に止着する面状ファスナー雄材片６を取り付けたものである。
【００１５】
張力付加ベルトＡｂは、帯状の弾性（天然ゴムや合成ゴムによる）紐で構成し、適宜の長さの、弾性帯を中央においてほぼＶ字形に折り曲げて、本体部Ａａの表面に重ね合わせ、基部となるその両端を、本体部Ａａの非伸張部分１の、横方向の中央に補強布片９と重ね合わせて止着（縫着）し、三角状に重ね合わせた先端部に前記重ね合わせ部分３の面状ファスナー雌材８に取付け自在に止着する面状ファスナー雄材片６´を取付けたものである。
【００１６】
なお、張力付加ベルトＡｂの先端部と、前記弾性ボーン４´を配した、伸張部分２と重ね合わせ部３の境界部との間には弾性紐１１をわたし、張力付加ベルトＡｂの先端側のたれ落ちを防ぎ、コルセットＡを身に付けるときの作業性の向上を図っている。
【００１７】
そして、非伸張部分１を腰回りの背面中央に位置するようにして本体部Ａａを腰回りに巻き付けて一方の重ね合わせ部分３に備えた面状ファスナー雄材片６を、他方の重ね合わせ部分３の面状ファスナー雌材８に止着して巻付け状態を安定させ、一対の張力付加ベルトＡｂを、同時又は異時に、伸張させて、本体部Ａａ表面に重ね合わせ、その先端の面状ファスナー雄材片６´を重ね合わせ部分３に設けた面状ファスナー雌材８に止着することにより実施例のコルセットＡの使用状態を得られる。
【００１８】
なお、平板で成る弾性ボーン４を省略した形態のコルセットにも本発明は適用できる。
【符号の説明】
【００１９】
１          非伸張部分
２          伸張部分
３          重ね合わせ部分
４，４´    弾性ボーン
６，６      面状ファスナー雄材片
８          面状ファスナー雌材
Ａａ        本体ベルト
Ａｂ        張力付加ベルト
【図１】
2011063915.tif 000003
【図２】
2011063915.tif 000004
【図３】
2011063915.tif 000005